(57)【要約】【課題】設置場所の自由度をより向上させることができる照明装置を得る。【解決手段】照明装置１０は、光源部１２０を有する本体部１００と、被設置部４１に貫入されるスパイク部１５１を有し、本体部１００を支持する支持部１５０と、を備えている。さらに、照明装置１０は、スパイク部１５１を被設置部４１に貫入した状態で、被設置部４１の設置面４１ａに当接して、被設置部４１内への沈み込みを抑制する沈下抑制部１６０を備えている。そして、沈下抑制部１６０は、平面視で、外縁１６０ａが本体部１００よりも外方に位置するように配置されている。【選択図】図５
2020071910.tif 000002
【特許請求の範囲】
【請求項１】
光源部を有する本体部と、
被設置部に貫入されるスパイク部を有し、前記本体部を支持する支持部と、
前記スパイク部を前記被設置部に貫入した状態で、前記被設置部の設置面に当接して、前記被設置部内への沈み込みを抑制する沈下抑制部と、
を備え、
前記沈下抑制部は、平面視で、外縁が前記本体部よりも外方に位置するように配置されていることを特徴とする照明装置。
【請求項２】
前記沈下抑制部は、平面視で前記本体部を囲うように配置される帯状部を備えており、前記帯状部の内周側には、前記帯状部に沿って延在する貫通孔が形成されていることを特徴とする請求項１に記載の照明装置。
【請求項３】
前記沈下抑制部は、前記本体部および前記支持部とは別部材で形成されていることを特徴とする請求項１または請求項２に記載の照明装置。
【請求項４】
前記沈下抑制部が折りたたみ可能に構成されていることを特徴とする請求項３に記載の照明装置。
【発明の詳細な説明】
【技術分野】
【０００１】
本開示は、照明装置に関する。
【背景技術】
【０００２】
従来、照明装置として、光源部を有する本体部と、本体部を支持する支持部と、を備え、支持部に形成されたスパイク部を地中などに貫入させることで本体部を屋外に固定できるようにしたものが知られている（例えば、特許文献１参照）。
【先行技術文献】
【特許文献】
【０００３】
【特許文献１】特開２０１７−０５４５９６号公報
【発明の概要】
【発明が解決しようとする課題】
【０００４】
しかしながら、上記特許文献１に開示の照明装置では、比較的硬度が低い地面の上や雪の上に設置した場合、自重により照明装置が傾いたり沈んだりするおそれがある。このように、上記従来の技術では、比較的硬度が低い地面の上や雪の上に照明装置を設置することが難しく、照明装置の設置場所が制限されていた。
【０００５】
そこで、本開示は、設置場所の自由度をより向上させることができる照明装置を得ることを目的とする。
【課題を解決するための手段】
【０００６】
本開示にかかる照明装置は、光源部を有する本体部と、被設置部に貫入されるスパイク部を有し、前記本体部を支持する支持部と、を備えている。さらに、照明装置は、前記スパイク部を前記被設置部に貫入した状態で、前記被設置部の設置面に当接して、前記被設置部内への沈み込みを抑制する沈下抑制部を備えている。そして、前記沈下抑制部は、平面視で、外縁が前記本体部よりも外方に位置するように配置されている。
【発明の効果】
【０００７】
本開示によれば、設置場所の自由度をより向上させることができる照明装置を得ることができる。
【図面の簡単な説明】
【０００８】
【図１】一実施形態にかかる照明装置の使用態様の一例を模式的に示す斜視図である。
【図２】一実施形態にかかる照明装置を用いた照明システムの一例を模式的に示す斜視図である。
【図３】一実施形態にかかる照明装置を示す側面図である。
【図４】一実施形態にかかる照明装置を示す裏面図である。
【図５】一実施形態にかかる照明装置を示す斜視図である。
【図６】一実施形態にかかる照明装置を一部分解して示す斜視図である。
【図７】一実施形態にかかる沈下抑制部を示す平面図である。
【図８】一実施形態にかかる照明装置を被設置部に設置した状態を示す図であって、（ａ）は、地面の上に本体部を設置した状態を示す側面図、（ｂ）は、雪の上に本体部を設置した状態を示す側面図である。
【図９】第１変形例にかかる照明装置の沈下抑制部を示す図であって、（ａ）は、開いた状態の沈下抑制部を示す斜視図、（ｂ）は、折り畳まれる途中の状態を示す斜視図である。
【図１０】第２変形例にかかる照明装置を一部分解して示す斜視図である。
【図１１】第３変形例にかかる照明装置を示す斜視図である。
【図１２】第４変形例にかかる照明装置を示す図であって、（ａ）は、照明装置を一部分解して示す斜視図、（ｂ）は、沈下抑制部を示す平面図である。
【図１３】第５変形例にかかる照明装置を一部分解して示す斜視図である。
【発明を実施するための形態】
【０００９】
以下、本実施にかかる照明装置について、図面を参照しながら詳細に説明する。なお、以下では、照明装置として、屋外に設置される外構用の照明装置を例示する。
【００１０】
本実施形態にかかる照明装置１０は、図１に示すように、屋外の被設置部４１に設置して使用することが可能な照明装置である。本実施形態では、照明装置１０は、図３に示すように、スパイク部１５１を備えており、このスパイク部１５１を被設置部４１内（例えば、地中等）に貫入することで、照明装置１０が被設置部４１に設置されるようになっている。そして、被設置部４１に設置された照明装置１０が庭木や建物等の照射対象物を照らすことで、外構空間（人が居住する建物の外にある物体を含む空間）の演出が行われるようにしている。
【００１１】
この照明装置１０は、スパイク部１５１を被設置部４１から引き抜くことで被設置部４１から取り外せるようになっており、持ち運び可能に構成されている。したがって、例えば、屋外のイベント会場まで照明装置１０を持っていき、イベント会場の所望の場所に照明装置１０を設置することも可能である。
【００１２】
このように、本実施形態にかかる照明装置１０は、屋外の所望の場所に設置することが可能な照明装置である。
【００１３】
さらに、本実施形態にかかる照明装置１０は、雪解け後の地面等の比較的硬度が低い地面の上や、雪の上等、従来の照明装置では設置が難しい箇所にも設置できるように構成されている。そのため、例えば、図１に示すように、照明装置１０を、アプローチ４０の傍に積もった雪（被設置部４１）の上に設置してアプローチ４０を照らすという態様で用いることができる。
【００１４】
このように、本実施形態にかかる照明装置１０は、雪国の冬の屋外においても、通常の方法（スパイク部１５１を被設置部４１内に貫入させる方法）で使用することが可能な照明装置である。なお、本実施形態にかかる照明装置１０の具体的な構成については後述する。
【００１５】
また、上述したような外構空間の演出を行う場合、例えば、図２に示すような照明システム１とすることができる。
【００１６】
図２に示す照明システム１は、コンセントポール２０と、電源ケーブル３０と、複数の照明装置１０と、を備えている。
【００１７】
コンセントポール２０は、下部を地中に埋設することで地面に固定されており、地上に露出する上部には、防水コンセント２１が設けられている。
【００１８】
電源ケーブル３０は、一端側に防水コンセント２１に差し込まれる防水プラグ３１が設けられており、他端側が防水コネクタ３２を介して複数のケーブルに分岐されている。分岐したケーブルのそれぞれの先端には、防水ソケット３３が設けられており、この防水ソケット３３に、照明装置１０に設けられた電源コード１４０の防水プラグ１４１が差し込まれるようになっている。
【００１９】
そして、電源ケーブル３０の防水プラグ３１をコンセントポール２０の防水コンセント２１に差し込み、防水ソケット３３のそれぞれに防水プラグ１４１を差し込むことで、コンセントポール２０から複数の照明装置１０に電気が供給されるようになっている。
【００２０】
なお、照明装置１０への電気の供給は、図２に示すものに限らず、様々な方法で行うことができる。
【００２１】
次に、本実施形態にかかる照明装置１０の具体的な構成を、図３〜図７を用いて説明する。
【００２２】
本実施形態では、照明装置１０として、既存の照明装置１０Ａを用いたものを例示している。すなわち、本実施形態では、既存の照明装置１０Ａを用いて、比較的硬度が低い地面の上や雪の上等にも設置できるようにした照明装置１０を例示している。なお、既存の照明装置を利用せず、比較的硬度が低い地面の上や雪の上等にも設置できる照明装置１０を新たに形成することも可能である。
【００２３】
既存の照明装置１０Ａは、図３および図６に示すように、本体部１００と、本体部１００を支持する支持部１５０と、を備えている。
【００２４】
本体部１００は、支持部１５０が連設される基台部１１１と、基台部１１１に取り付けられて、基台部１１１の上方を覆うカバー１１２と、を備えている。本実施形態では、カバー１１２を基台部１１１に取り付けた状態で、カバー１１２の内側に空間が形成されるようになっている。
【００２５】
そして、カバー１１２の内側の空間内には、光源部１２０が配置されており、光源部１２０から照射された光が、カバー１１２を透過して外部に照射されるようになっている。したがって、カバー１１２は、光透過性を有する材料で形成されている。具体的には、カバー１１２は、ガラスやアクリル樹脂などを用いて形成されている。
【００２６】
一方、基台部１１１は、金属材料や樹脂材料等、様々な材料を用いて形成することができるが、軽量化を図るためには、樹脂材料を用いて形成するのが好ましい。さらに、本実施形態のように屋外で用いる場合、耐候性にすぐれたＡＳＡ樹脂を用いて基台部１１１を形成するのが好ましい。
【００２７】
光源部１２０は、光源としてのＬＥＤチップが内部に配置された電球１２１と、電球１２１が取り付けられるソケット１２２と、を備えている。本実施形態では、ソケット１２２は、基台部１１１の上部に、受け口を上方に開口させた状態で取り付けられている。そして、ソケット１２２の受け口に電球１２１の口金を取り付けることで光源部１２０を形成している。
【００２８】
なお、本実施形態では、ＬＥＤチップを内蔵した電球１２１を例示したが、白熱電球を用いることも可能であるし、半導体光源等の発光素子を光源として用いることも可能である。
【００２９】
また、基台部１１１には、スイッチ１３０が形成されており、このスイッチ１３０を操作することで、照明装置のオン・オフが切り替えられるようになっている。なお、光源部１２０への電気の供給は、電源コード１４０によって行われる。
【００３０】
さらに、本実施形態では、基台部１１１は、下端に形成されたフランジ部１１３を備えており、このフランジ部１１３に支持部１５０が連設されている。また、フランジ部１１３には、一対の貫通孔１１３ａが形成されている。
【００３１】
支持部１５０は、被設置部４１に貫入されるスパイク部１５１を有しており、このスパイク部１５１がフランジ部１１３の下面側に下方に突出するように連設されている。本実施形態では、スパイク部１５１は、先端側が根元側（フランジ部１１３側）よりも幅狭となる先細り状に形成されており、断面形状が十字状をしている。
【００３２】
このスパイク部１５１も、金属材料や樹脂材料等、様々な材料を用いて形成することができるが、軽量化や屋外での使用を考慮して、ＡＳＡ樹脂を用いて形成するのが好ましい。
【００３３】
なお、スパイク部１５１（支持部１５０）は、フランジ部１１３（本体部１００）とは別部品で形成してもよいし、フランジ部１１３に一体成形されていてもよい。スパイク部１５１を、フランジ部１１３とは別部品で形成した場合、ボルト等の固定具を用いてスパイク部１５１をフランジ部１１３に固定させることになる。
【００３４】
このような構成をした既存の照明装置１０Ａをそのまま用いた場合、スパイク部１５１を地中（被設置部４１内）に貫入させることで、本体部１００が地面（被設置部４１）に支持されることになる。
【００３５】
なお、既存の照明装置１０Ａのフランジ部１１３には、上述したように、貫通孔１１３ａが形成されている。この貫通孔１１３ａは、既存の照明装置１０Ａの通常の使用時には、ペッグ等のアンカー部材が挿入されるものである。
【００３６】
すなわち、既存の照明装置１０Ａは、スパイク部１５１を地中に貫入させて本体部１００を地面に固定した状態で、ペッグ等のアンカー部材を貫通孔１１３ａに挿入して被設置部４１内に貫入させることができるように構成されている。ペッグ等のアンカー部材は、例えば、スパイク部１５１を地中に貫入させただけでは本体部１００が多少ぐらついてしまう場合などに、本体部１００を地面にしっかりと固定するために用いられるものである。
【００３７】
このように、貫通孔１１３ａは、アンカー部材によるアンカー効果によって照明装置１０Ａをより強固に地面に支持できるようにするために設けられた孔であり、本実施形態で示す既存の照明装置１０Ａは、設置場所の自由度が比較的高い照明装置となっている。
【００３８】
しかしながら、設置場所の自由度が比較的高い既存の照明装置１０Ａであっても、比較的硬度が低い地面の上や雪の上に設置した場合には、自重（既存の照明装置１０Ａの重さ）によって、本体部１００が傾いてしまうおそれがある。また、自身の重さによって、既存の照明装置１０Ａが雪や土の中（被設置部４１内）に沈んでしまうおそれもある。
【００３９】
このように、設置場所の自由度が比較的高い既存の照明装置１０Ａであっても、比較的硬度が低い地面の上や雪の上への設置は難しい。
【００４０】
そこで、本実施形態では、比較的硬度が低い地面の上や雪の上等にも設置することのできる照明装置１０が得られるようにした。
【００４１】
具体的には、照明装置１０が、沈下抑制部１６０を備えるようにした。この沈下抑制部１６０は、スパイク部１５１を被設置部４１に貫入した状態で、被設置部４１の設置面４１ａに当接して、被設置部４１内への沈み込みを抑制するものである。
【００４２】
本実施形態では、沈下抑制部１６０を既存の照明装置１０Ａとは別部品とし、既存の照明装置１０Ａに沈下抑制部１６０を取り付けることで照明装置１０を形成している（図６参照）。
【００４３】
この沈下抑制部１６０は、鋼板やＳＵＳ等を用いて形成されており、略円板状をしている。なお、樹脂材料を用いて沈下抑制部１６０を形成し、軽量化を図ることも可能であるが、持ち運びの際の変形を抑制するためには、鋼板やＳＵＳ等を用いて形成するのが好ましい。
【００４４】
本実施形態では、沈下抑制部１６０は、平面視で略円環状となる帯状部１６１と、帯状部１６１の内側に連設されて、中心に向かって突出する一対の取付片１６３と、を備えている。そして、帯状部１６１の内周側には、帯状部１６１に沿って延在する貫通孔１６２が形成されている。なお、帯状部１６１は、一部が切り欠かれた平面視略Ｃ字状とすることも可能である。
【００４５】
また、各取付片１６３の先端側には、貫通孔１６３ａがそれぞれ形成されている。すなわち、沈下抑制部１６０には一対の貫通孔１６３ａが形成されている。この一対の貫通孔１６３ａは、上述した既存の照明装置１０Ａに形成された一対の貫通孔１１３ａと対応する位置に形成されている。そして、貫通孔１６３ａを貫通孔１１３ａに連通させた状態で、ボルト１７１およびナット１７２によって締結することで、沈下抑制部１６０が既存の照明装置１０Ａに取り付けられている。こうすることで、本実施形態にかかる照明装置１０が形成されている。
【００４６】
ここで、本実施形態では、沈下抑制部１６０を既存の照明装置１０Ａに取り付けた状態で、平面視で、沈下抑制部１６０の中心と本体部１００の中心とが略一致するようにしている。そして、帯状部１６１の外径が本体部１００の外径よりも大きくなるようにしている。
【００４７】
この帯状部１６１の外径は、本体部１００の外径の１倍よりも大きく３倍以下となるようにするのが好ましい。１倍以下だと、本体部１００の沈下を抑制することができず、３倍よりも大きくなると、本体部１００の沈下を抑制することはできるが、重量が増加してしまい持ち運びにくくなってしまうためである。さらに、本体部１００の沈下をより確実に抑制しつつ、持ち運びやすくするためには、帯状部１６１の外径を、本体部１００の外径の１．５倍以上２倍以下となるようにするのがより好ましい。
【００４８】
また、本実施形態では、帯状部１６１の内径（貫通孔１６２の径）も本体部１００の外径よりも大きくなるようにしている。したがって、照明装置１０は、平面視で、本体部１００の周囲の全周が帯状部１６１によって囲われた形状をしている。
【００４９】
このように、本実施形態では、沈下抑制部１６０は、平面視で、外縁１６０ａの全体が本体部１００よりも外方に位置するように配置されている。
【００５０】
このような構成をした照明装置１０を被設置部４１に設置すると、沈下抑制部１６０の下面が被設置部４１の設置面４１ａに接触することになる。そのため、既存の照明装置１０Ａをそのまま設置した場合と比較して、設置面４１ａとの接触面積が大きくなる。このように、設置面４１ａとの接触面積が大きくなると、本体部１００によって押圧される力が分散されて、単位面積あたりに加えられる押圧力が小さくなる。その結果、自重による本体部１００の被設置部４１内への沈み込みが抑制されて、比較的硬度が低い地面の上や雪の上等にも設置することができるようになる。
【００５１】
このように、本実施形態にかかる照明装置１０は、夏場等の雪が積もっていないときには、図８（ａ）に示すように、地面に設置し、冬場等の雪が積もっているときには、図８（ｂ）に示すように、雪の上に設置することができる。なお、図８（ａ）では、地面が、照明装置１０が設置される被設置部４１に相当し、図８（ｂ）では、地面の上の積雪部分が、照明装置１０が設置される被設置部４１に相当している。
【００５２】
以上説明したように、本実施形態にかかる照明装置１０は、光源１２１を有する本体部１００と、被設置部４１に貫入されるスパイク部１５１を有し、本体部１００を支持する支持部１５０と、を備えている。さらに、照明装置１０は、スパイク部１５１を被設置部４１に貫入した状態で、被設置部４１の設置面４１ａに当接して、被設置部４１内への沈み込みを抑制する沈下抑制部１６０を備えている。そして、沈下抑制部１６０は、平面視で、外縁１６０ａが本体部１００よりも外方に位置するように配置されている。
【００５３】
こうすれば、照明装置１０を被設置部４１に設置した状態における設置面４１ａとの接触面積が大きくなるため、本体部１００によって設置面４１ａが押圧される力が分散されて、設置面４１ａに加えられる単位面積あたりの押圧力を小さくすることができる。その結果、自重による本体部１００の被設置部４１内への沈み込みが抑制されて、比較的硬度が低い地面の上や雪の上等にも設置することができるようになる。
【００５４】
このように、本実施形態によれば、設置場所の自由度をより向上させることができる照明装置１０を得ることができる。
【００５５】
また、本実施形態では、沈下抑制部１６０は、平面視で本体部１００を囲うように配置される帯状部１６１を備えており、帯状部１６１の内周側には、帯状部１６１に沿って延在する貫通孔１６２が形成されている。
【００５６】
こうすれば、沈下抑制部１６０の重量の増加を抑制しつつ沈下抑制部１６０と設置面４１ａとの接触面積を確保することができるようになる。さらに、設置面４１ａとの接触面積を同じとした場合、貫通孔１６２を設けない場合に較べて、沈下抑制部１６０の大きさ（外径など）が大きくなるため、本体部１００の転倒をより確実に抑制することができるようになる。すなわち、より安定的に本体部１００を支持することができるようになる。
【００５７】
また、本実施形態では、沈下抑制部１６０は、本体部１００および支持部１５０とは別部材で形成されている。
【００５８】
こうすれば、沈下抑制部１６０の本体部１００や支持部１５０への着脱が可能となって、選択的に沈下抑制部１６０を使用することができる。また、既存の照明装置１０Ａを利用して、比較的硬度が低い地面の上や雪の上等にも設置できるようにした照明装置１０を形成することが可能となる。こうすれば、より容易かつ低コストで、設置場所の自由度をより向上させることができる照明装置１０を得ることができる。
【００５９】
以上、好適な実施形態について説明したが、上記実施形態に限定されるものではなく、種々の変形が可能である。
【００６０】
例えば、図９に示すように、沈下抑制部１６０を折りたたみ可能な構成とすることも可能である。
【００６１】
図９では、上記実施形態で示した沈下抑制部１６０を２つに分割した分割体１６０Ａを、ヒンジ１６４で連結させたものを例示している。
【００６２】
こうすることでも、上記実施形態とほぼ同様の作用、効果を奏することができる。
【００６３】
また、沈下抑制部１６０を折りたたみ可能な構成とすれば、沈下抑制部１６０を使用しない場合に、よりコンパクトな状態でしまうことができるようになる。
【００６４】
また、図１０に示すように、照明装置１０を形成した状態で、貫通孔１６２が形成されないようにしてもよい。具体的には、図１０に示すように、円板の中央にスパイク部１５１を挿通させる挿通孔１６０ｂと、一対の貫通孔１１３ａにそれぞれ連通する貫通孔１６０ｃとを形成した沈下抑制部１６０を用いるようにしてもよい。
【００６５】
こうすることでも、上記実施形態とほぼ同様の作用、効果を奏することができる。
【００６６】
また、図１１に示すように、沈下抑制部１６０を一体成形することで照明装置１０を形成するようにしてもよい。
【００６７】
図１１には、既存の照明装置１０Ａに形成されたフランジ部１１３の外径を本体部１００よりも大きくした形状の照明装置１０を例示している。なお、上記実施形態で示したように、貫通孔１６２が形成された沈下抑制部１６０を一体成形した構成とすることも可能である。
【００６８】
こうすることでも、上記実施形態とほぼ同様の作用、効果を奏することができる。
【００６９】
また、図１２に示すように、複数の分割体のそれぞれを個別に既存の照明装置１０Ａに取り付けることで、沈下抑制部１６０を形成してもよい。
【００７０】
図１２には、２つの分割体１６０Ａを、それぞれフランジ部１１３に取り付けたものを例示している。また、図１２では、沈下抑制部１６０を形成した状態で、２つの分割体１６０Ａの帯状部１６１の先端の間に隙間Ｄ１が形成されるようにしている。なお、沈下抑制部１６０を形成した際に隙間Ｄ１が形成されないようにすることも可能である。
【００７１】
こうすることでも、上記実施形態とほぼ同様の作用、効果を奏することができる。
【００７２】
また、図１３に示すように、沈下抑制部１６０の外周部にスパイク部１６５（支持部１５０）を形成するようにしてもよい。なお、図１３では、沈下抑制部１６０の外周部に４つのスパイク部１６５を形成したものを例示しているが、スパイク部１６５の数は４つに限られるものではない。
【００７３】
こうすることでも、上記実施形態とほぼ同様の作用、効果を奏することができる。
【００７４】
また、上記実施形態および各変形例では、平面視における輪郭線が略円形となる沈下抑制部１６０を例示したが、平面視における輪郭線が多角形となる沈下抑制部とすることも可能である。
【００７５】
また、上記実施形態および各変形例で示した構成を適宜組み合わせた構成とすることも可能である。
【符号の説明】
【００７６】
１０  照明装置
１００  本体部
１２０  光源部
１５０  支持部
１５１  スパイク部
１６０  沈下抑制部
１６０ａ  外縁
１６１  帯状部
１６２  貫通孔
【図１】
2020071910.tif 000003
【図２】
2020071910.tif 000004
【図３】
2020071910.tif 000005
【図４】
2020071910.tif 000006
【図５】
2020071910.tif 000007
【図６】
2020071910.tif 000008
【図７】
2020071910.tif 000009
【図８】
2020071910.tif 000010
【図９】
2020071910.tif 000011
【図１０】
2020071910.tif 000012
【図１１】
2020071910.tif 000013
【図１２】
2020071910.tif 000014
【図１３】
2020071910.tif 000015